(57)【要約】【技術課題】  極めて簡単にフローリング床材の更新を行うことができる更新方法とこの更新用床暖房装置を提供する。【解決手段】  要所に永久磁石５を配置したマット本体１を先ず下地１１上に敷布する。次に、このマット本体１上に前記永久磁石５に吸着する鉄箔８を敷設する。次にこの鉄箔８上に接着剤を用いてフローリング床材９を貼り付ける。フローリング床材９の更新時には、前記鉄箔８をマット本体１から剥がし取ると、フローリング床材９も一緒に剥がし取ることができる。その上で、既設のマット本体１上に新規の鉄箔８を敷設し、この上にフローリング床材９を接着剤１０を用いて貼り付ける。【選択図】        図３
2005315493.tif 000002
【特許請求の範囲】
【請求項１】
要所に永久磁石を配置したマット本体を先ず敷設する、次に、このマット本体上に前記永久磁石の吸着力を利用してシート本体を敷設する、次に、このシート本体上に接着剤を用いてフローリング床材を貼り付ける、次に、フローリング床材の更新時には、前記シート本体をフローリング床材ごと前記永久磁石の吸着力以上の力でマット本体から剥がし取り、その上で、前記シート本体と同一構造のシート本体を既設のマット本体上に前記永久磁石の吸着力を利用して敷設し、次に、この上に更新用のフローリング床材を接着剤を用いて貼り付ける、ことを特徴とする床暖房装置のフローリング床材の更新方法。
【請求項２】
請求項１において、シート本体は、鉄箔で構成されていることを特徴とする床暖房装置のフローリング床材の更新方法。
【請求項３】
請求項１において、シート本体には、あらかじめフローリング床材が接着剤で貼り付けられていることを特徴とする床暖房装置のフローリング床材の更新方法。
【請求項４】
永久磁石を要所に配置して或るマット本体と、前記マット本体の永久磁石に吸着して固定されるシート本体と、前記シート本体上に接着剤を用いて貼り付けられるフローリング床材と、から成る床暖房装置。
【請求項５】
請求項４において、永久磁石は、マット本体が小根太挿入タイプのものにあっては、小根太を避ける位置に配置されていることを特徴とする床暖房装置。
【請求項６】
請求項４において、マット本体は、ハードパネルから成ることを特徴とする床暖房装置。
【請求項７】
請求項４において、シート本体は、鉄箔又はこの鉄箔を下面に張り合わせた樹脂フィルム又は織物又は不織布又はゴムシートから成ることを特徴とする床暖房装置。
【請求項８】
請求項４において、シート本体は、樹脂フィルム又は織物又は不織布又はゴムシートであって、下面に吸磁塗料が塗布された構成であることを特徴とする床暖房装置。
【請求項９】
請求項４において、シート本体は、マット本体全面を覆う一枚形状から成ることを特徴とする床暖房装置。
【発明の詳細な説明】
【技術分野】
【０００１】
本願発明は、床暖房装置におけるフローリング床材の更新方法及びこの更新用床暖房装置に関する。
【背景技術】
【０００２】
床暖房装置であって、フローリング仕上げタイプの例を図５に示す。この床暖房装置は、小根太１０１を挿入したマット本体１００の上面に温水パイプ１０２を配管すると共にマット本体１００の上面にアルミ箔（伝熱シート）１０３を貼り付けた構成から成り、フローリング床材１０４は、前記アルミ箔１０３の上において、小根太１０１と直交するように配置されると共に、このフローリング床材１０４は釘１０５を用いて小根太１０１に打ち付ける施工例となっている。
【０００３】
このため、フローリング床材１０４のみを剥がして更新しようとした場合、一旦打ち付けた釘１０５を引き抜く必要があり、これには大変な手間がかかると共に、小根太１０１には抜いた釘穴が残るため、再度フローリング床材１０４を小根太１０４に釘打ちしたときに、この釘穴にあとからの釘１０５がかかり、釘が利かないことがある。
したがって、釘１０５を用いてフローリング床材１０４を小根太１０１に打ち付ける施工例の場合には、フローリング床材１０４だけを更新することはできず、マット本体１００側を含めて、すべてを更新しなければならなくなる。
【０００４】
この結果、更新とは云っても、床暖房装置を新設する場合と同じ位の費用と時間がかかる。
又、釘１０５を用いずに、フローリング床材１０４を強力な接着剤を用いて温水マット（アルミ箔）１０３上に貼り付けて固定する施工例も在るが、この場合は、あとでフローリング床材１０４を剥がしとることは出来ないため、上記と同じように、マット本体１００側も含めて、すべてを更新しなければならない。
【０００５】
このようなことから、フローリング床材のみを手軽に更新できる施工法として、次のものが提案されている。
【特許文献１】特開平１１−０２２９８６号公報                                  この発明は、温水マット自身を傷めることなく床材を温水マットから容易に剥がすことができることを目的として、マット板５に埋め込まれている小根太７を有する床暖房温水マット１であって、該小根太７の上に磁石８を貼り付け、この磁石８の上に、下面に鉄板が貼り付けられたフローリング材を固定するものである。
【０００６】
しかし、この公知例においては、次のような欠点がある。
１．小根太７に磁石８を設置した場合、小根太７はアルミ箔と一体化せず、別途接着が必  要となる。
２．一体化を容易にする為に小根太７全体を磁石８にした場合、重量が重くなり、コスト  も掛かる。
３．また、小根太７の表面には磁石８が在るため、必要に応じて釘打ちを行いたくても、  これができない。
【発明の開示】
【発明が解決しようとする課題】
【０００７】
本発明は、磁石を用いてフローリング床材を施工するようにして更新性を持たせる点は上記特許文献１と同一であるが、その手法と構造において、上記１〜３に記述した欠点をすべて解消することができる床暖房装置におけるフローリング床材の更新方法及びこの更新用床暖房装置を提供するのが目的である。
【課題を解決するための手段】
【０００８】
上記目的を達成するため、請求項１に記載の発明においては、床暖房装置におけるフローリング床材の更新方法及びこの更新用床暖房装置において、要所に永久磁石を配置したマット本体を先ず敷設する、次に、このマット本体上に前記永久磁石の吸着力を利用してシート本体を敷設する、次に、このシート本体上に接着剤を用いてフローリング床材を貼り付ける、次に、フローリング床材の更新時には、前記シート本体をフローリング床材ごと前記永久磁石の吸着力以上の力でマット本体から剥がし取り、その上で、前記シート本体と同一構造のシート本体を既設のマット本体上に前記永久磁石の吸着力を利用して敷設し、次に、この上に更新用のフローリング床材を接着剤を用いて貼り付ける、ことを特徴とするものである。
【０００９】
更に、請求項２に記載の発明においては、請求項１において、シート本体は、鉄箔で構成されていることを特徴とするものである。
【００１０】
更に、請求項３に記載の発明においては、請求項１において、シート本体には、あらかじめフローリング床材が接着剤で貼り付けられていることを特徴とするものである。
【００１１】
更に、請求項４に記載の発明においては、床暖房装置は、永久磁石を要所に配置して或るマット本体と、前記マット本体の永久磁石に吸着して固定されるシート本体と、前記シート本体上に接着剤を用いて貼り付けられられるフローリング床材を特徴とするものである。
【００１２】
更に、請求項５に記載の発明においては、請求項４において、永久磁石は、マット本体が小根太挿入タイプのものにあっては、小根太を避ける位置に配置されていることを特徴とするものである。
【００１３】
更に、請求項６に記載の発明においては、請求項４において、マット本体は、ハードパネルから成ることを特徴とするものである。
【００１４】
更に、請求項７に記載の発明においては、請求項４において、シート本体は、鉄箔又はこの鉄箔を下面に張り合わせた樹脂フィルム又は織物又は不織布又はゴムシートから成ることを特徴とするものである。
【００１５】
更に、請求項８に記載の発明においては、請求項４において、シート本体は、樹脂フィルム又は織物又は不織布又はゴムシートであって、下面に吸磁塗料が塗布された構成であることを特徴とするものである。
【００１６】
更に、請求項９に記載の発明においては、請求項４において、シート本体は、マット本体全面を覆う一枚形状から成ることを特徴とするものである。
【００１７】
マット本体は、小根太を挿入したタイプ及び小根太の無い、所謂ハードパネルタイプの双方を含む。このマット本体には、小根太が挿入されているものにあっては、小根太を避けた位置に永久磁石を配置する。この永久磁石の配置例としては、マット本体の表面に凹部を形成し、この凹部内に永久磁石を上から嵌め込み、マット本体の面に面を合わせる。永久磁石を凹部に嵌め込むに際しては、そのままめ嵌め込むだけでも良いし、接着剤を用いて固定するようにしても良い。
永久磁石を配置したマット本体の上面には、例えばアルミ箔から成る放熱シートを貼り付ける。
【００１８】
［作用］
現場では、マット本体を下地の上に敷設したあと、下面に鉄箔単体、あるいは前記永久磁石に吸着する材料を下面に取り付けたシート本体をマット本体上に敷設して永久磁石の力でシート本体を固定する。
次に、このシート本体の上に、接着剤を用いてフローリング床材を接着し、固定する。但し、シート本体は、工場でフローリング床材をあらかじめ接着しておき、現場での作業をやり易いようにしても良い。
このように、シート本体を永久磁石の力でマット本体に固定しただけのため、更新を行う場合には、シート本体をめくるようにして剥がすと、一緒にフローリング床材も剥がし取ることができる。
その上で、再び、別のシート本体を永久磁石の力でマット本体上に固定し、更にこのシート本体上に新規にフローリング床材を接着固定し、更新作業を終る。
なお、必要な場合には、補助として、フローリング床材を小根太に釘打ちしても良い。
【発明の効果】
【００１９】
本願発明は以上のように、マット本体において、小根太が挿入されているものにあっては、この小根太を避けた位置に永久磁石を配置した。
この結果、小根太は下からフローリング床材を支えるだけで、特許文献１のように小根太上に永久磁石及び鉄板が無いことから、小根太はアルミ箔と一体化するため、別途小根太とアルミ箔を一体化する作業が必要でなくなる。
【００２０】
また、本願発明においては、小根太上に永久磁石が位置しないことから、一体化を容易にするために小根太全体に磁石を取り付けたりする必要がなく、よってマットの軽量化と製造コストの低減が可能である。
【００２１】
また、本願発明においては、特許文献１のように、小根太上の磁石にフローリング材側の鉄板を直接吸着するのではなく、先ず、シート本体を永久磁石でマット本体上に固定するため、このシート本体は柔軟性を有することから、マッ本体に対するフィット性が良く、また、このシート本体はクッションとしても作用するため、足感の良いフローリング床の施工ができる。
【００２２】
また、本願発明は、必要に応じてフローリング床材を小根太に釘打ちすることもできるため、一定以上の強度をフローリング床に求められた場合に、これに対応できる。
【実施例】
【００２３】
図１は本発明に係る床暖房装置において、永久磁石を配置したマット本体の平面図、図２はフローリング床材まで施工し終えた状態の床暖房装置のＡ−Ａ′断面図、図３は施行例の説明図、図４は更新時にフローリング側を剥がしている状態の説明図である。
先ず、図１、図２において、符号の１はマット本体であって、このマット本体１は、発泡ポリエチレンで成形されており、その上面の溝２内には架橋低密度ポリエチレン製の温水パイプ３がマット本体１において、小根太４を巡回するようにして配管されている。
５は前記マット本体１において、上面に形成した凹溝６内に嵌合するようにして配置された永久磁石である。
７はマット本体１全面に貼り付けたアルミニュウム箔である。
８は鉄箔であって、この鉄箔８は、前記永久磁石５に吸着してマット本体１上全面に固定されている。
９は前記鉄箔７に対し、エポキシ系接着剤１０により接着されたフローリング床材である。
１１は下地である。
【００２４】
次に、上記床暖房装置について、先ず図３に基づいてその施工例を説明し、図４に基づいてフローリング床材の更新例を説明する。
先ず、図３に示すように下地１１上にマット本体１を敷設し、次にこのマット本体１上に永久磁石５の吸着力を利用して鉄箔８を張り合わせて固定する。
次にフローリング床材９の裏面に接着剤１０を塗布し、これを前記金箔８上に貼り付ける。
なお、フローリング床材９はあらかじめ鉄箔８に接着剤１０を用いて貼り付けておくようにしても良い。
【００２５】
新規に床暖房装置を施工する場合には以上で工事を終了する。次に、フローリング床材９を更新する場合には、図４に示すように、鉄箔８をめくり取るようにして剥がすと、フローリング床材９も一緒に剥がし取ることができるので、このようにして、剥がした後、再び更新用の鉄箔８を永久磁石５の力で張り合わせ、次に更新用のフローリング床材９を接着剤１０を用いて鉄箔８上に貼り付ける。これで、更新は終りとなる。
なお、ハードパネルの場合の施工例も以上に説明した施行例と同じである。
【図面の簡単な説明】
【００２６】
【図１】本願発明に係る床暖房装置のマット本体の一例の説明図
【図２】図１におけるＡ−Ａ′線断面図
【図３】本願発明に係る床暖房装置の施工例の説明図
【図４】本願発明に係るフローリング床の更新例の説明図
【図５】従来の床暖房装置の施工例の説明図
【符号の説明】
【００２７】
１  マット本体
２  溝
３  温水パイプ
４  小根太
５  永久磁石
６  凹部
７  アルミ箔
８  鉄箔
９  フローリング床材
１０  接着剤
１１  下地
【図１】
2005315493.tif 000003
【図２】
2005315493.tif 000004
【図３】
2005315493.tif 000005
【図４】
2005315493.tif 000006
【図５】
2005315493.tif 000007